(57)【要約】【課題】  外出先に於て、最小限の作業でコンタクトレンズの装着・脱着を行なうことを可能にする。【解決手段】  コンタクトレンズＣを収容するケース本体１と、ケース本体１に枢着される蓋２とを有する。ケース本体１が、コンタクトレンズＣを収容するレンズ収容部３と、使用済の洗浄液を受ける受け皿部４を、有する。蓋２が鏡５を有する。【選択図】  図１
2005046401.tif 000002
【特許請求の範囲】
【請求項１】
コンタクトレンズ（Ｃ）を収容するケース本体（１）と、該ケース本体（１）に枢着される蓋（２）とを有し、
上記ケース本体（１）が、コンタクトレンズ（Ｃ）を収容するレンズ収容部（３）と、洗浄液（Ｗ）を収納する洗浄液ボトル（17）と、使用済みの洗浄液（Ｗ）を受ける受け皿部（４）を、有し、かつ、上記蓋（２）が鏡（５）を有することを特徴とするコンタクトレンズケース。
【請求項２】
レンズ収容部（３）が、閉鎖状態に於て蓋（２）が当接する周囲突条（12）を有し、該周囲突条（12）の外側に環状パッキン（13）を付設し、上記蓋（２）が、閉鎖状態に於て上記環状パッキン（13）に当接する環状突条（14）を有する請求項１記載のコンタクトレンズケース。
【請求項３】
受け皿部（４）が、その中間深さ位置に内方へ水平状に突出する受け片（15）を有し、閉鎖状態に於て、該受け片（15）が鏡（５）を受持するように構成した請求項１又は２記載のコンタクトレンズケース。
【請求項４】
レンズ収容部（３）が、隔壁（６）をもって左収容部（７）と右収容部（８）に分割されており、該隔壁（６）が、左右収容部（７）（８）を連通させる連通窓部（９）を有する請求項１，２又は３記載のコンタクトレンズケース。
【請求項５】
ソフトコンタクトレンズ用のコンタクトレンズケースであって、左右収容部（７）（８）が、その底面（７ａ）（８ａ）に、コンタクトレンズ（Ｃ）の取出しを容易にする前後方向のガイド用突条（10）を各々２本ずつ有し、かつ、上記底面（７ａ）（８ａ）を、その前寄りが前方に次第に浅くなるように形成した請求項４記載のコンタクトレンズケース。
【請求項６】
ハードコンタクトレンズ用のコンタクトレンズケースであって、レンズ収容部（３）に、左目用コンタクトレンズ（Ｃ）を挾持状に保持するための左保持部（20）と、右目用コンタクトレンズ（Ｃ）を挾持状に保持するための右保持部（21）が、横倒・起立自在に枢着されている請求項１，２，３又は４記載のコンタクトレンズケース。
【発明の詳細な説明】
【技術分野】
【０００１】
本発明は、コンタクトレンズケースに関する。
【背景技術】
【０００２】
コンタクトレンズ使用者は、外出先でコンタクトレンズの着脱を行なうために、コンタクトレンズケースを携帯する。従来のコンタクトレンズケース（例えば、特許文献１参照）は、右目用コンタクトレンズを収容する右収容部と、左目用コンタクトレンズを収容する左収容部が、離間して個別に設けられていた。また、右収容部と左収容部を密封するために、中蓋（中間プレート３）を備えていた。
【０００３】
しかし、左右のコンタクトレンズを収容するためには、左収容部と、右収容部に、夫々保存液を注入する必要があった。すなわち、保存液の注入を２回行なう必要があった。また、鏡は外蓋に付設されているので、コンタクトレンズの着脱時に、中蓋を閉じたり開いたりしなければならず、取扱いにくく、手間がかかっていた。さらに、使用後のコンタクトレンズを洗浄するには、使用済みの洗浄液を受けることができる洗面所や流し台のある場所等に行かなければならなかった。
【特許文献１】特開平６−２０５７０５号公報
【発明の開示】
【発明が解決しようとする課題】
【０００４】
解決しようとする問題点は、外出先に於けるコンタクトレンズの着脱時に、多くの手間がかかる点である。また、コンタクトレンズを洗浄しないで収容すると不衛生になる点である。
【課題を解決するための手段】
【０００５】
本発明は、コンタクトレンズを収容するケース本体と、該ケース本体に枢着される蓋とを有し、上記ケース本体が、コンタクトレンズを収容するレンズ収容部と、洗浄液を収納する洗浄液ボトルと、使用済みの洗浄液を受ける受け皿部を、有し、かつ、上記蓋が鏡を有するものである。
【０００６】
また、レンズ収容部が、閉鎖状態に於て蓋が当接する周囲突条を有し、該周囲突条の外側に環状パッキンを付設し、上記蓋が、閉鎖状態に於て上記環状パッキンに当接する環状突条を有するものである。また、受け皿部が、その中間深さ位置に内方へ水平状に突出する受け片を有し、閉鎖状態に於て、該受け片が鏡を受持するように構成したものである。また、レンズ収容部が、隔壁をもって左収容部と右収容部に分割されており、該隔壁が、左右収容部を連通させる連通窓部を有するものである。
【０００７】
また、ソフトコンタクトレンズ用のコンタクトレンズケースであって、左右収容部が、その底面に、コンタクトレンズの取出しを容易にする前後方向のガイド用突条を各々２本ずつ有し、かつ、上記底面を、その前寄りが前方に次第に浅くなるように形成したものである。
【０００８】
また、ハードコンタクトレンズ用のコンタクトレンズケースであって、レンズ収容部に、左目用コンタクトレンズを挾持状に保持するための左保持部と、右目用コンタクトレンズを挾持状に保持するための右保持部が、横倒・起立自在に枢着されているものである。
【発明の効果】
【０００９】
本発明のコンタクトレンズケースによれば、外出先に於て、最小限の作業でコンタクトレンズの装着・脱着を行ない、かつ、衛生的にコンタクトレンズを保管することができる。すなわち、コンタクトレンズの着脱に必要なものを全て備えており、かつ、容易にコンタクトレンズを出し入れすることができる。
【発明を実施するための最良の形態】
【００１０】
図１〜図７は、本発明の第１の実施の形態の使用状態を示す。このコンタクトレンズケースは、ソフトコンタクトレンズ用であって、コンタクトレンズＣを収容する樹脂性ケース本体１と、ケース本体１に枢着される樹脂性蓋２とを有する。ケース本体１と蓋２とはワンタッチで開閉可能とされている。ケース本体１は、コンタクトレンズＣを収容するレンズ収容部３と、使用済みの洗浄液Ｗを受ける受け皿部４を、有する。蓋２は鏡５を有する。
【００１１】
レンズ収容部３が、隔壁６をもって左目用コンタクトレンズＣ1 を収容する左収容部７と、右目用コンタクトレンズＣ2 を収容する右収容部８に、分割されている。コンタクトレンズケースの閉鎖状態に於て、隔壁６の上端縁６ａは蓋２と接し、左右のコンタクトレンズＣ，Ｃが混同するのを防ぐことができる。隔壁６が、左右収容部７，８を連通させる連通窓部９を有する。左右収容部７，８が、その底面７ａ，８ａに、コンタクトレンズＣの取出しを容易にする前後方向の横断面略半円形のガイド用突条10を各々２本ずつ有する。底面７ａ及び底面８ａは、その前寄りが前方に次第に浅くなるように形成されている。  
【００１２】
レンズ収容部３が、閉鎖状態に於て蓋２が当接する周囲突条12を有する。周囲突条12の外側に環状パッキン13が付設されている。蓋２が、コンタクトレンズケースの閉鎖状態に於て環状パッキン13に当接する環状突条14を有する。
【００１３】
受け皿部４は、その中間深さ位置に内方へ水平状に突出する受け片15を有する。閉鎖状態に於て、受け片15が鏡５を受持するように構成されている。すなわち、受け片15の上面15ａの深さ寸法ｄは、蓋２の基準面２ａ───ケース本体１のうち受け皿部４の周辺部の面１ａと接する面───からの鏡５の突出寸法ｈと、等しく設定される。また、コンタクトレンズケースの開放状態に於ける鏡５の平面視形状は、開放状態に於ける受け皿部４の平面視形状と同一ないしわずかに小さい形状に設定される。受け皿部４の受け片15よりも下部には、スポンジ、受け皿部４の形状に適合するように折畳んだティッシュペーパ等から成る吸収体16が収納される。受け片15は、吸収体16が受け皿部４から離脱するのを防止する機能（ストッパー機能）を有する。
【００１４】
17は洗浄液ボトルを示す。ケース本体１は、洗浄液ボトル17を収納する凹部18を有する。凹部18に、洗浄液ボトル17の開口部17ａを密閉して、洗浄液ボトル17に収納された洗浄液Ｗが漏れるのを防ぐ略直方体のパッキン19が収納されている。パッキン19を有するので、洗浄液ボトル17の孫キャップを省略することができ、孫キャップを開閉する手間がかからず、容易に洗浄液Ｗを使用することができる。
【００１５】
次に、コンタクトレンズケースの使用方法について、説明する。
装着していたコンタクトレンズＣを外して（脱着して）コンタクトレンズケースに収容するには、まずコンタクトレンズＣを洗浄液Ｗにて洗浄（すすぎ洗い）してから、レンズ収容部３に収容する。レンズ収容部３には、あらかじめ保存液Ｐを入れておく。ソフトコンタクトレンズに対しては、洗浄液Ｗを保存液Ｐとして用いることができる。
【００１６】
具体的には、図４に示すように、指Ｙの先端にコンタクトレンズＣを載置し、上方から洗浄液ボトル17に収納された洗浄液Ｗを滴下する。このとき、人指し指Ｙ1 と親指Ｙ2 にて軽くこすりながら洗浄するのが好ましい。使用後（すなわち、コンタクトレンズＣの洗浄後）の洗浄液Ｗを、受け皿部４にて受ける。吸収体16が洗浄液Ｗを吸収する。吸収体16がスポンジの場合は、帰宅後、スポンジを絞ることにより、再度使用することができる。吸収体16がティッシュペーパーの場合は、帰宅後、使用済みのティッシュペーパーを捨て、新しいティッシュペーパーに交換すれば良い。
【００１７】
レンズ収容部３に収容されていたコンタクトレンズＣを装着するには、図５〜図７に示すように、指Ｙで、コンタクトレンズＣを、ガイド用突条10に沿って前方へ滑らせて、取出し、目に装着する。前述のように、底面７ａ及び底面８ａは、その前寄りが、前方に次第に浅くなるように形成されているので、コンタクトレンズＣを容易に取出すことができるとともに、指Ｙの腹で取出せるので、コンタクトレンズＣに爪Ｎで傷を付けることを防止することができる。
【００１８】
図８〜図10は、第２の実施の形態の使用状態を示す。このコンタクトレンズケースは、ハードコンタクトレンズ用であって、レンズ収容部３に、左目用コンタクトレンズＣ1 を挾持状に保持する先端Ｕ字型の左保持部20と、右目用コンタクトレンズＣ2 を挾持状に保持する先端Ｕ字型の右保持部21が、横倒・起立自在に枢着されている。
【００１９】
すなわち、図９は左保持部20を起立させた状態を示し、図10は左保持部20を最大限に横倒させた状態───図９の起立状態からの回転角度θが最大の状態───を示す。左保持部20は、図９の起立状態と、図10の最大横倒状態の間を回転自在である。左保持部20は、最大横倒状態に於て、左収容部７の底面７ａと離間している。左保持部20がどの回転角度位置にある場合でも、コンタクトレンズＣが割れるのを防止することができる。
なお、右保持部21の構成も、左保持部20の構成と同様である。
【００２０】
本発明は、設計変更可能であって、例えば、隔壁６が複数の連通窓部９を有するも良い。
【００２１】
以上のように、本発明によれば、コンタクトレンズＣを収容するケース本体１と、ケース本体１に枢着される蓋２とを有し、ケース本体１が、コンタクトレンズＣを収容するレンズ収容部３と、洗浄液Ｗを収納する洗浄液ボトル17と、使用済みの洗浄液Ｗを受ける受け皿部４を、有し、かつ、蓋２が鏡５を有するので、任意の場所で、コンタクトレンズＣを洗浄して使用後の洗浄液Ｗを一時的に保管し、コンタクトレンズＣの装着・脱着を行なうことができる。また、コンタクトレンズＣを洗浄してから収容することができるので、衛生的に優れる。また、コンタクトレンズケースとは別個に鏡や洗浄液Ｗを携帯・併用する必要がなく、至便である。
【００２２】
また、レンズ収容部３が、閉鎖状態に於て蓋２が当接する周囲突条12を有し、周囲突条12の外側に環状パッキン13を付設し、蓋２が、閉鎖状態に於て環状パッキン13に当接する環状突条14を有するので、密封性に優れるとともに、中蓋が不要であって、コンタクトレンズＣの装着・脱着時に中蓋を開閉させる手間を省略することができる。
【００２３】
また、受け皿部４が、その中間深さ位置に内方へ水平状に突出する受け片15を有し、閉鎖状態に於て、受け片15が鏡５を受持するように構成したので、鏡５が割れるのを防止することができる。
【００２４】
また、レンズ収容部３が、隔壁６をもって左収容部７と右収容部８に分割されており、隔壁６が、左右収容部７，８を連通させる連通窓部９を有するので、左右のコンタクトレンズＣ，Ｃ（一般にこれらは度数が相違する）を誤って逆に収容するのを防止して、左右のコンタクトレンズＣ，Ｃの混同を防ぐことができる。また、左収容部７又は右収容部８のいずれかに保存液Ｐを注入すれば、左収容部７及び右収容部８の両方に保存液Ｐを入れることができる。
【００２５】
また、ソフトコンタクトレンズ用のコンタクトレンズケースであって、左右収容部７，８が、その底面７ａ，８ａに、コンタクトレンズＣの取出しを容易にする前後方向のガイド用突条10を各々２本ずつ有し、かつ、底面７ａ，８ａを、その前寄りが前方に次第に浅くなるように形成したので、容易・確実にコンタクトレンズＣを取出すことができる。
【００２６】
また、ハードコンタクトレンズ用のコンタクトレンズケースであって、レンズ収容部３に、左目用コンタクトレンズＣを挾持状に保持するための左保持部20と、右目用コンタクトレンズＣを挾持状に保持するための右保持部21が、横倒・起立自在に枢着されているので、左右のコンタクトレンズＣが混同するのを防止しつつ、容易・確実にコンタクトレンズＣを収容することができる。
【図面の簡単な説明】
【００２７】
【図１】本発明の第１の実施の形態を示す平面図である。
【図２】図１のＸ−Ｘ拡大断面図である。
【図３】蓋を閉じた状態を示す拡大断面正面図である。
【図４】説明図である。
【図５】説明用要部拡大側面図である。
【図６】説明用要部拡大側面図である。
【図７】説明用要部拡大側面図である。
【図８】第２の実施の形態を示す要部平面図である。
【図９】要部拡大側面図である。
【図１０】要部拡大側面図である。
【符号の説明】
【００２８】
１  ケース本体
２  蓋
３  レンズ収容部
４  受け皿部
５  鏡
６  隔壁
７  左収容部
７ａ  底面
８  右収容部
８ａ  底面
９  連通窓部
10  ガイド用突条
12  周囲突条
13  環状パッキン
14  環状突条
15  受け片
17  洗浄液ボトル
20  左保持部
21  右保持部
Ｃ  コンタクトレンズ
Ｗ  洗浄液
【図１】
2005046401.tif 000003
【図２】
2005046401.tif 000004
【図３】
2005046401.tif 000005
【図４】
2005046401.tif 000006
【図５】
2005046401.tif 000007
【図６】
2005046401.tif 000008
【図７】
2005046401.tif 000009
【図８】
2005046401.tif 000010
【図９】
2005046401.tif 000011
【図１０】
2005046401.tif 000012